(57)【要約】【課題】光学マウス移動位置精度を向上できるマウスパッドの製造方法を提供する。【解決手段】シリコンゴム（ｓｉｌｉｃｏｎｅ）と反射微粒子（真珠灰、セラミック粉末、銀粉など）を混合した混合材料を金型に仕込み、加熱加圧成形プロセスを施し、パッド体に形成した後、パッド体の側面上に透光性塗料（ポリウレタン、フッ素樹脂など）を塗布して、本発明によるマウスパッドを仕上げる。これにより、マウスパッドの側面上に平滑層が形成され、使用者は平滑層にて光学マウスを円滑に移動できる。使用者が該光学マウスを移動したとき、該光学マウスはマウスパッドに対して位置移動の検出光線を出射し、各該反射微粒子は光線の反射または回折作用により、該光学マウスの光学センサーに顕著な差異映像を形成する。該光学マウスは当該映像に基づいて、該光学マウスの移動方向と移動量を精確に判断できる。【選択図】図２
2010257434.tif 000002
【特許請求の範囲】
【請求項１】
シリコンゴムに反射微粒子を均一に混合して混合材料を形成する工程と、
前記混合材料を金型に仕込み、加熱加圧成形プロセスを施すことにより、前記混合材料で平板状のパッド体を成形する工程と、
前記パッド体の側面に透光性塗料を塗布して、側面上に平坦な平滑層を形成する工程と、
を含むことを特徴とするマウスパッドの製造方法。
【請求項２】
前記パッド体の前記側面上につや消し剤を塗布した後に、浸食プロセスを行うことにより、前記側面がつや消し剤の浸食によって、複数の不規則な浸食皺を形成することを特徴とする請求項１記載のマウスパッドの製造方法。
【請求項３】
前記側面に対して第１ベーキング工程を施し、前記側面上のシリコンゴム毛細孔隙を増大させ、前記透光性塗料をより容易に前記側面上に付着させることを特徴とする請求項１記載のマウスパッドの製造方法。
【請求項４】
前記側面に対して第１ベーキング工程を施し、前記側面上のシリコンゴム毛細孔隙を増大させ、前記透光性塗料をより容易に前記側面上に付着させることを特徴とする請求項２記載のマウスパッドの製造方法。
【請求項５】
前記第１ベーキング工程は、前記側面に対してベーキングを実施し、必要温度は２５０度から４５０度であり、必要時間は１分から４５分であることを特徴とする請求項３または請求項４記載のマウスパッドの製造方法。
【請求項６】
前記側面上に前記透光性塗料が塗布された後に、前記透光性塗料に対して、第２ベーキング工程を施すことにより、前記透光性塗料を素早く乾燥し、前記側面にしっかりと付着させることを特徴とする請求項４記載のマウスパッドの製造方法。
【請求項７】
前記第２ベーキング工程の必要温度は１００度から２００度、必要時間は５０から２００分であることを特徴とする請求項６記載のマウスパッドの製造方法。
【請求項８】
前記第２ベーキング工程の必要温度は１００度から２５０度、必要時間は５０から２５０分であることを特徴とする請求項７記載のマウスパッドの製造方法。
【発明の詳細な説明】
【技術分野】
【０００１】
本発明はマウスパッドの製造方法に係わる。
【背景技術】
【０００２】
従来の回転ボール式マウスは使用のときに、その回転ボールはホコリ、汚れ、またはホコリ、汚れが回転ボール式マウス内部に運ばれることにより、回転ボール式マウスの移動方向と移動量を検出するセンサー素子がホコリ、汚れの干渉を受けて、測定誤差を引き起し、使用者は回転ボール式マウスをコンピュータ表示装置上のカーソル制御に当たり、カーソルを円滑または正確に移動することができなく、使用上に多くの悩みと不便を残る。
【０００３】
前記した課題を解決するために、回転ボール式マウスは近年、市場から徐々に淘汰されて、光学マウスに取り代わっている。図１に示す光学マウス１０は、発光素子１１と光学センサー１２が内設され、使用者が光学マウス１０をコンピュータに接続して、光学マウス１０をマウスパッド１３上に置き、光学マウス１０を移動したとき、光学マウス１０は発光素子１１より、マウスパッド１３の表面に移動検出の光線を出射する。光学センサー１２はマウスパッド１３に照射された光線の回折または反射によって映像を形成し、光学マウス１０は映像に基づいて移動された方向と移動量を判断した上、対応の移動信号をコンピュータに転送する。使用者は光学マウス１０により、コンピュータ表示装置上のカーソル制御の目的を実現できる。
【０００４】
このように、光学マウス１０は光学方式により、先行技術の回転ボールによる位置検出する必要なく、移動された方向と移動量を検出できるため、光学マウス１０の光学センサー１２はホコリ、汚れの付着または干渉を受けない。よって、使用者は光学マウス１０を使用するときにカーソルをより正確に制御できる。
【発明の概要】
【発明が解決しようとする課題】
【０００５】
しかしながら、前記した光学マウス１０の光学センサー１２の発光素子１１がマウスパッド１３の表面に照射させ、回折または反射によって形成する映像を検出しなければ、光学マウス１０の移動方向と移動量を判断できない。よって、マウスパッド１３表面の部材は発光素子１１からマウスパッド１３に転送する光線の回折または反射率ばかりでなく、光学センサー１２の検出映像と光学マウス１０の位置移動検出精度にも影響される。このため、不適切な部材のマウスパッド１３には、使用者が光学マウス１０でカーソル制御のとき、カーソルを正確に移動できない課題が残されている。各種部材による従来のマウスパッド１３の欠点を以下の通り取り上げる。
【０００６】
イ、マウスパッド１３の表面は反射しやすい部材（ガラスなど）からなるときは、発光素子１１からマウスパッド１３に出射された光線の回折または反射率が大幅に増幅され、光学センサー１２は検出光線の輝度が高すぎて、映像の過度露光の結果、光学マウス１０は光学センサー１２より捕捉された映像に基づき、移動方向と移動量が精確に判断できないため、使用者は精確にカーソルを移動することができない。
【０００７】
ロ、マウスパッド１３の表面は反射しにくい部材（生地など）または透光性部材（ゴム、シリコンゴムなど）からなるときは、発光素子１１からマウスパッド１３に出射された光線の回折または反射率が大幅に減衰され、光学センサー１２は反射または回折光線による映像を検出が難しくなり、光学マウス１０は光学センサー１２より捕捉された映像に基づいて、移動方向と移動量を精確に判断できないため、使用者は精確にカーソルを移動することができない。
【０００８】
よって、従来のマウスパッドによると、光学マウスが移動方向と移動量を精確に検出できないため、使用者がカーソルを正確に移動できないという問題がある。本発明は、光学マウスによる位置移動検出精度を向上するマウスパッドの製造方法を提供することを目的とする。
【課題を解決するための手段】
【０００９】
上述の目的を達成するために、本発明の技術手段は次の通りである。
まず、シリコンゴムに反射微粒子を均一に混合して混合材料を形成する。次に、混合材料を金型に仕込み、加熱加圧成形プロセスを施すことにより、混合材料で平板状のパッド体を成形する。最後に、パッド体の側面に透光性塗料を塗布して、側面上に平坦な平滑層を形成する。これにより、光学マウスによる位置移動検出精度を向上するマウスパッドが形成される。
【００１０】
シリコンゴム（ｓｉｌｉｃｏｎｅ）と反射微粒子（真珠灰、セラミック粉末、銀粉など）を混合し混合材料に仕上げて、金型に仕込んで加熱加圧成形加工により、パッド体を形成する。さらに、その側面上に透光性塗料（ポリウレタン、フッ素樹脂など）を塗布し側面上に滑らかな平滑層を形成した上、本発明のマウスパッドを仕上げる。よって、使用者はマウスパッドの平滑層にて、光学マウスを円滑に移動することができる。光学マウスを移動したとき、マウスパッドに位置移動の光線を出射し、一部の光線は平滑層とシリコンゴムそれぞれ入射して光線の輝度を減衰させ、光学マウスの光学センサーに過度露光がない。それに伴い、光学センサーは各反射微粒子が部分の光線の反射または回折により顕著な差異を示す映像を検出し、光学マウスは映像に基づいて、光学マウスの移動方向と移動量を精確に判断できる。
【００１１】
さらに、パッド体の側面上につや消し剤を塗布し側面を浸食することにより、側面上に複数の不規則な浸食皺を形成する。光学センサーは各浸食皺と反射微粒子による部分光線の反射または回折作用によって、より顕著な差異映像を検出できる。光学マウスは映像に基づいて、マウスパッドの移動方向と移動量を精確に判断できる。
【００１２】
製造方法は浸食プロセス完了後、さらに、透光性塗料を表面上にて付着させやすいための第１ベーキング工程を施し、側面上にシリコンゴムの毛細孔隙を増大させることができる。
製造方法は、側面上に透光性塗料を塗布した後、さらに、透光性塗料を素早く乾燥し側面上に付着させるため、透光性塗料に第２ベーキング工程を施してもよい。
【図面の簡単な説明】
【００１３】
【図１】従来のマウスパッドの使用状態を示す図である。
【図２】本発明の実施例のマウスパッドの製造方法を示す図である。
【図３】本発明の実施例によって形成されたマウスパッドの断面図である。
【図４】本発明の実施例によって形成されたマウスパッドの使用状態を示す図である。
【図５】本発明の実施例によって形成されたマウスパッドを使用したときに検出された映像画面を示す図である。
【発明を実施するための形態】
【００１４】
（実施例）
以下、本発明による実施例を図面に基づいて説明する。
【００１５】
本発明の実施例によるマウスパッドの製造方法は図２と図３に示す通り、製造方法は以下のプロセスを含む。
【００１６】
プロセス２００では、シリコンゴム２００（ｓｉｌｉｃｏｎｅ）に反射微粒子２０１（真珠灰、セラミック粉末、銀粉など）を均一に混合して、混合材料を形成する。
【００１７】
プロセス２０１では、混合材料を金型（図示しない）に仕込み、加熱加圧成形プロセスを施す。加熱加圧成形プロセスの加熱温度は１００度から２５０度とし、必需時間は５０秒から２５０秒とする。これにより、混合材料で平板状のパッド体２０を仕上げることができる。
【００１８】
プロセス２０２では、引き続き、パッド体２０の側面上につや消し剤を塗布した後、浸食プロセスを施す。つや消し剤の主な成分はポリエポキシ変性シラン（ｐｏｌｙ−ｅｐｏｘｙ  ｍｏｄｉｆｉｅｄ  ｓｉｌａｎｅ）とトルエンからなり、側面がつや消し剤の浸食により、複数の不規則な浸食皺２１を形成する。
【００１９】
プロセス２０３では、浸食プロセスが完了後、側面に対して、第１ベーキング工程を施す。第１ベーキング工程の温度は２５０度から４５０度とし、必要時間は１分から４５分とする。側面に対して間欠的にベーキングを施すことにより、側面上のシリコンゴムの毛細孔隙２２を増大することができる。
【００２０】
プロセス２０４では、続いて、側面上に透光性塗料（ポリウレタン、フッ素樹脂など）を塗布して、側面上に被覆する共に、各浸食皺２１と毛細孔隙２２を充填する。
【００２１】
プロセス２０５では、最後に、透光性塗料層に第２ベーキング工程を行う。第２ベーキング工程に必要な温度は１００度から２００度とし、必需時間は５０分から２００分とする。これにより、透光性塗料を乾燥させ、側面に付着することができる。
【００２２】
プロセス２０６では、透光性塗料を側面上に平坦な平滑層２３を形成する。これにより、マウスパッド２を仕上げることができる。
【００２３】
図３と図４を参照する。マウスパッド２の表面に平滑層２３が敷設されているため、使用者は平滑層２３上に光学マウス３０を円滑に移動できる。さらに、透明状の平滑層２３下部と、マウスパッド２のパッド体２０上に浸食皺２１と反射微粒子２０１が設けられている。よって、使用者が光学マウス３０を移動したとき、光学マウス３０の発光素子３１はマウスパッド２に対して移動検出の光線を出射し、その一部の光線は平滑層２３とシリコンゴム２００に入射して、光線全体の輝度が減衰されて、光学マウス３０の光学センサー３２による過度露光の映像検出を避ける。さらに、光学センサー３２は各浸食皺２１と反射微粒子２０１が部分光線に対する反射または回折作用によって、図５に示すように、顕著な差異映像を検出できるため、光学マウス３０は映像に基づいて、光学マウス３０の移動方向と移動量とを精確に判断できる。
【００２４】
図３に示す通り、浸食プロセス完了後、側面に対して第１ベーキング工程を施すことにより、側面上のシリコンゴムの毛細孔隙２２を増大しているため、その後に透光性塗料を塗布するときに、透光性塗料は各毛細孔隙２２を通じて、より確実に表面に付着し、平滑層２３の抜け落ちを確実に防止でき、マウスパッド２の使用寿命を大幅に延長できる。
【００２５】
さらに、図３に示す通り、側面上に透光性塗料を塗布した後、透光性塗料に第２ベーキング工程を行うことにより、透光性塗料を素早く側面上に付着させ、マウスパッド２の生産効率を確実に向上できる。
【００２６】
（変形例）
引き続き、図２と図３に示す通り、前記マウスパッド２製造方法のプロセス簡素化を図り、製造コスト軽減するため、浸食プロセスのうちプロセス（２０２）、第１ベーキング工程のプロセス（２０３）または第２ベーキング工程のプロセス（２０５）それぞれ省略して、透光性塗料を側面上に直接付着させ、透光性塗料は常温環境にて、自然乾燥により平滑層２３を形成してもよい。この変形例によると、当業者は、浸食プロセスのつや消し剤と、各ベーキング工程のためのベーキング設備を購入必要がなく、製造コストの低減の目的を確実に実現できる。
【００２７】
図３に示す通り、本発明の製造方法によるマウスパッド２は、使用者がマウスパッド２の平滑層２３より、光学マウス３０を円滑に移動できる。使用者が光学マウス３０を移動したとき、光学マウス３０よりマウスパッド２に移動検出するための光線を出射し、部分光線は平滑層２３とシリコンゴム２００に入射することにより、光学マウス３０より出射する光線の輝度が減衰され、光学センサー３２に過度露光の映像検出を避ける。さらに、光学センサー３２は各浸食皺２１と反射微粒子２０１により、部分光線に対する反射または回折作用によって、顕著な差異映像を検出できるため、光学マウス３０は映像に基づいて、光学マウス３０の移動方向と移動量を精確に判断できる。
【００２８】
以上に開示したのは、本発明の好ましい実施例及び変形例である。ただし、本発明の特徴はこれに限ることなく、技術を熟知するものが、本発明の領域において、容易に変化又は修飾されたものは、本発明の特許請求範疇に含まれるものとする。
【符号の説明】
【００２９】
２：マウスパッド、２０：パッド体、２００：シリコンゴム、２０１：反射微粒子、２１：浸食皺、２２：毛細孔隙、２３：平滑層、３０：光学マウス、３１：発光素子、３２：光学センサー、
【図１】
2010257434.tif 000003
【図２】
2010257434.tif 000004
【図３】
2010257434.tif 000005
【図４】
2010257434.tif 000006
【図５】
2010257434.tif 000007